【手続補正書】
【提出日】平成23年2月15日(2011.2.15)
【手続補正１】
【補正対象書類名】特許請求の範囲
【補正対象項目名】全文
【補正方法】変更
【補正の内容】
【特許請求の範囲】
【請求項１】
物体側から像側へ順に、負の屈折力の第１レンズ群、フォーカスの際に移動する正の屈折力の第２レンズ群を有する撮像光学系において、
開口絞りと、
該開口絞りよりも像側に配置された１以上の接合レンズと、
該開口絞りよりも物体側に１以上の負レンズとを有し、
前記１以上の接合レンズのうち第１の接合レンズの接合面に回折光学部を有しており、
全系の焦点距離をｆ、前記１以上の接合レンズのうち第２の接合レンズの負レンズの材料のアッベ数と、空気中における焦点距離を各々νRN、fRN、
該開口絞りより物体側に位置する負レンズの材料のアッベ数で最大のアッベ数をνFN、
該回折光学部を有する第１の接合レンズにおける最も物体側の面の曲率半径と最も像側の面の曲率半径の平均値をravr、
該回折光学部の曲率半径をrDOE、
該開口絞りより像側の正レンズの材料の標準線との部分分散比の差が最大の正レンズの部分分散比をPθgF、
該開口絞りより像側の正レンズの材料の標準線との部分分散比の差が最大の正レンズの材料のアッベ数をνRPとするとき
−０．１ ＜ f／(νRN×fRN) ＜ −０．０２
８０ ＜ νFN ＜ ９７
│ ravr/rDOE │＜３
−０．０２ ＜ PθgF −（−１．６２５×１０−３×νRP＋０．６４２） ＜ ０．０３
なる条件式を満足することを特徴とする撮像光学系。
【請求項２】
前記第１、第２レンズ群はズーミングに際して互いに独立に移動するレンズ群であることを特徴とする請求項１に記載の撮像光学系。
【請求項３】
物体側から像側へ順に、負の屈折力の第１レンズ群と、正の屈折力の第２レンズ群を有し、該第１レンズ群と第２レンズ群の間隔を変化させてズーミングを行う撮像光学系において、
開口絞りと、
該開口絞りよりも像側に配置された１以上の接合レンズと、
該開口絞りよりも物体側に１以上の負レンズとを有し、
前記１以上の接合レンズのうち第１の接合レンズの接合面に回折光学部を有しており、
広角端における全系の焦点距離をfZW、
前記１以上の接合レンズのうち第２の接合レンズの負レンズの材料のアッベ数と空気中における焦点距離を各々νZRN、fZRN、
該開口絞りより物体側に位置する負レンズの材料のアッベ数で最大アッベ数をνZFN、
該回折光学部を有する前記第１の接合レンズにおける最も物体側の面の曲率半径と最も像側の曲率半径の平均値をrZavr、
該回折光学部の曲率半径をrZDOE、
該開口絞りより像側の正レンズの材料の標準線との部分分散比の差が最大の正レンズの部分分散比をPZθgF、
該開口絞りより像側の正レンズで材料の標準線との部分分散比の差が最大の正レンズの材料のアッベ数をνZRP、
とするとき
−０．１＜fZW／(νZRN×fZRN)＜−０．０２
８０＜νZFN＜９７
│rZavr/rZDOE│＜３
−０．０２＜PZθgF−（−１．６２５×１０−３×νZRP＋０．６４２）＜０．０３
なる条件式を満足することを特徴とする撮像光学系。
【請求項４】
前記１以上の接合レンズのうち前記開口絞りに最も近い接合レンズが前記第２の接合レンズであることを特徴とする請求項１乃至３のいずれか１項に記載の撮像光学系。
【請求項５】
前記第１の接合レンズと前記第２の接合レンズは、同じ接合レンズであることを特徴とする請求項１乃至４のいずれか１項に記載の撮像光学系。
【請求項６】
前記回折光学部の回折成分のみによる焦点距離をfDOEとするとき
４０ ＜ fDOE／f ＜ ２００ 
なる条件式を満足することを特徴とする請求項１乃至５のいずれか１項に記載の撮像光学系。
【請求項７】
前記第２レンズ群の像側にズーミングに際して不動又は他のレンズ群と独立に移動する１以上のレンズ群を有していることを特徴とする請求項１乃至６のいずれか１項に記載の撮像光学系。
【請求項８】
請求項１乃至７のいずれか１項に記載の撮像光学系を有していることを特徴とする撮像装置。
【手続補正２】
【補正対象書類名】明細書
【補正対象項目名】００８７
【補正方法】変更
【補正の内容】
【００８７】
尚、各実施例において第１レンズ群Ｌ１の物体側又は最も像側のレンズ群の少なくとも一方に像側にコンバータレンズやアフォーカル系等のレンズ群を配置しても良い。
【手続補正３】
【補正対象書類名】明細書
【補正対象項目名】００９９
【補正方法】変更
【補正の内容】
【００９９】
また第２レンズ群Ｌ２の開口絞りＳＰから像面までは、物体側から像側へ順に、開口絞りＳＰ、負レンズ、正と負レンズを互いに貼り合せた接合レンズ（第２の接合レンズ）Ｌ２Ｒ１、正レンズ、負レンズと正レンズを互いに貼り合せた接合レンズＬ２Ｒ２より成っている。
【手続補正４】
【補正対象書類名】明細書
【補正対象項目名】０１００
【補正方法】変更
【補正の内容】
【０１００】
回折光学部は一番像側に配置した負レンズと正レンズを互いに貼り合せた接合レンズ（第１の接合レンズ）Ｌ２Ｒ２の接合面ＲＡに形成されている。
【手続補正５】
【補正対象書類名】明細書
【補正対象項目名】０１０１
【補正方法】変更
【補正の内容】
【０１０１】
図３の実施例２において、第３レンズ群Ｌ３は物体側から像側へ順に、正レンズと負レンズを互いに貼り合せた接合レンズ（第２の接合レンズ）Ｌ２Ｒ１、正レンズ、正レンズと正レンズを互いに貼り合せた接合レンズＬ２Ｒ２より成っている。
【手続補正６】
【補正対象書類名】明細書
【補正対象項目名】０１０２
【補正方法】変更
【補正の内容】
【０１０２】
正レンズと正レンズを互いに貼り合せた接合レンズ（第１の接合レンズ）Ｌ２Ｒ２の接合面ＲＡに回折光学部が形成されている。
【手続補正７】
【補正対象書類名】明細書
【補正対象項目名】０１０４
【補正方法】変更
【補正の内容】
【０１０４】
正レンズと負レンズを互いに貼り合わせた接合レンズ（第１の接合レンズ）（第２の接合レンズ）Ｌ２Ｒ１の接合面ＲＡに回折光学素子が形成されている。
【手続補正８】
【補正対象書類名】明細書
【補正対象項目名】０１０５
【補正方法】変更
【補正の内容】
【０１０５】
図７の実施例４において、第２レンズ群Ｌ２は物体側から像側へ順に、正レンズ、開口絞りＳＰ、正レンズと負レンズを互いに貼り合せた接合レンズ（第２の接合レンズ）Ｌ２Ｒ１、正レンズと負レンズとを貼り合わせた接合レンズＬ２Ｒ２を有している。更に正レンズと正レンズを互いに貼り合せた接合レンズＬ２Ｒ３を有した構成より成っている。
【手続補正９】
【補正対象書類名】明細書
【補正対象項目名】０１０６
【補正方法】変更
【補正の内容】
【０１０６】
また、第２レンズ群Ｌ２の一番像側に配置した接合レンズ（第１の接合レンズ）Ｌ２Ｒ３の接合面ＲＡに回折光学部が形成されている。
【手続補正１０】
【補正対象書類名】明細書
【補正対象項目名】０１０７
【補正方法】変更
【補正の内容】
【０１０７】
図１１の実施例５において、第２レンズ群Ｌ２は物体側から像側へ順に、正レンズ、開口絞りＳＰ、正レンズと負レンズを互いに貼り合せた２つの接合レンズ（第２の接合レンズ）Ｌ２Ｒ１、Ｌ２Ｒ２、正レンズと正レンズを互いに貼り合せた接合レンズＬ２Ｒ３より成っている。
【手続補正１１】
【補正対象書類名】明細書
【補正対象項目名】０１０８
【補正方法】変更
【補正の内容】
【０１０８】
正レンズと正レンズを互いに貼り合せた接合レンズ（第１の接合レンズ）Ｌ２Ｒ３の接合面ＲＡに回折光学部が形成されている。
【手続補正１２】
【補正対象書類名】明細書
【補正対象項目名】０１８１
【補正方法】変更
【補正の内容】
【０１８１】
【表３】
2009198960.tif 000001